(57)【要約】【課題】少なくとも１つの円弧形状を有する表示パネルとプロセッサとを含む表示装置及びその画像処理方法を提供する。【解決手段】プロセッサは、表示パネルの円弧形状の位置及び形状情報を受信し、前記位置及び形状情報に従って前記表示データを調整して、調整された表示データを生成し、複数の重み付け値を有するアンチエイリアス処理領域を設定し、アンチエイリアス処理領域によって調整された表示データをスキャンし、第１のグレーレベルと第２のグレーレベルに対応する少なくとも１つの第１の重み付け値と少なくとも１つの第２の重み付け値を求め、前記第１または第２の重み付け値を有するスキャンされた画素またはスキャンされた副画素のグレーレベルによって演算を行い、前記演算結果に従ってスキャンされた画素またはスキャンされた副画素のグレーレベルを調整するように構成される。【選択図】図１
2019023861.tif 000002
【特許請求の範囲】
【請求項１】
少なくとも1つの円弧形状を有する表示パネルと、表示パネルに接続されたプロセッサとを含み、
前記プロセッサは、表示パネルの少なくとも１つの円弧形状の位置及び形状情報を受信し、
表示データを受信し、前記位置及び形状情報に従って前記表示データを調整して、調整された表示データを生成し、
複数の重み付け値を有するアンチエイリアス処理領域を設定し、
位置及び形状情報に従ってアンチエイリアス処理領域によって調整された表示データをスキャンし、第１のグレーレベルに対応する重み付け値中の少なくとも１つの第１の重み付け値を求め、第２のグレーレベルに対応する重み付け値中の少なくとも１つの第２の重み付け値を求め、前記少なくとも１つの第１の重み付け値または前記少なくとも１つの第２の重み付け値を有するスキャンされた画素またはスキャンされた副画素のグレーレベルによって演算を行い、演算結果を生成し、前記演算結果に従って、スキャンされた画素またはスキャンされた副画素のグレーレベルを調整するように構成されている表示装置。
【請求項２】
前記第２のグレーレベルは、第１の色のグレーレベルであり、前記第１のグレーレベルは、前記第１の色のグレーレベルではない請求項１に記載の表示装置。
【請求項３】
前記プロセッサはさらに、
前記位置及び形状情報に従って前記表示データの表示境界を設定するように構成され、
表示データを調整する際に、表示境界の外側に対応する画素または副画素のグレーレベルが第２のグレーレベルである請求項１または請求項２に記載の表示装置。
【請求項４】
前記プロセッサはさらに、
前記アンチエイリアス処理領域の中心要素を中心重み付け値として設定し、前記アンチエイリアス処理領域の複数の周辺要素を複数の周辺重み付け値として設定するように構成され、
前記中心重み付け値は、前記周辺重み付け値よりも大きいかまたは以下である、前記請求項１から請求項３のいずれかに記載の表示装置。
【請求項５】
前記前記中心重み付け値と前記周辺重み付け値との和は、基準値と等しいことを特徴とする請求項４に記載の表示装置。
【請求項６】
前記プロセッサはさらに、
調整された前記表示データの前記少なくとも１つの円弧形状に対応するスキャン領域を前記位置及び形状情報に従って設定し、
前記アンチエイリアス処理領域によってスキャン領域内の複数の画素または複数の副画素を順次スキャンするように構成されている請求項１から請求項５のいずれかに記載の表示装置。
【請求項７】
前記プロセッサはさらに、
前記少なくとも１つの第１の重み付け値の和を計算し、
スキャンされた画素またはスキャンされた副画素のグレーレベルと前記少なくとも１つの第１の重み付け値の和との積を計算して演算結果を生成するように構成されている請求項１から請求項６のいずれかに記載の表示装置。
【請求項８】
前記プロセッサはさらに、
前記少なくとも１つの第２の重み付け値の和を計算し、
基準値と前記少なくとも１つの第２の重み付け値の和との差を計算し、
スキャンされた画素またはスキャンされた副画素のグレーレベルと前記差との積を計算して演算結果を生成するように構成されている請求項１から請求項６のいずれかに記載の表示装置。
【請求項９】
前記アンチエイリアス処理領域の形状は、Ｎ辺を有するポリゴンであり、Ｎは３よりも大きい正の整数であることを特徴とする請求項１から請求項８のいずれかに記載の表示装置。
【請求項１０】
前記プロセッサはさらに、アンチエイリアス強度値を受信し、前記アンチエイリアス強度値に従って前記アンチエイリアス処理領域の大きさおよび前記重み付け値を設定するように構成されている請求項１から請求項９のいずれかに記載の表示装置。
【請求項１１】
前記表示パネルは、異形形状に切り取られた表示パネルであることを特徴とする請求項１から請求項１０のいずれかに記載の表示装置。
【請求項１２】
表示パネルの少なくとも１つの円弧形状の位置及び形状情報を記録するステップと、
表示データを受信し、前記少なくとも１つの円弧形状の前記位置及び形状情報に従って前記表示データを調整して調整された表示データを生成するステップと、
各要素が重み付け値を有するような複数の要素を有するアンチエイリアス処理領域を設定するステップと、
前記位置及び形状情報に従って前記アンチエイリアス処理領域によって前記調整された表示データをスキャンし、第１のグレーレベルに対応する重み付け値中の少なくとも１つの第１の重み付け値を求め、第２のグレーレベルに対応する重み付け値中の少なくとも１つの第２の重み付け値を求め、前記少なくとも１つの第１の重み付け値または前記少なくとも１つの第２の重み付け値を有するスキャンされた画素またはスキャンされた副画素のグレーレベルによって演算を行って演算結果を生成し、前記演算結果に従って、スキャンされた画素またはスキャンされた副画素のグレーレベルを調整するステップと、
を含む画像処理方法。
【請求項１３】
前記第２のグレーレベルは第１の色のグレーレベルであり、前記第１のグレーレベルは前記第１の色のグレーレベルではないことを特徴とする請求項１２に記載の画像処理方法。
【請求項１４】
前記位置及び形状情報に従って前記表示データの表示境界を設定するステップをさらに含み、
前記表示データを調整する際に、表示境界の外側に対応する画素または副画素のグレーレベルが第２のグレーレベルである請求項１２または請求項１３に記載の画像処理方法。
【請求項１５】
前記アンチエイリアス処理領域が設定される場合であって、前記アンチエイリアス処理領域は、複数の要素を有し、
前記重み付け値を有する各要素に係るステップは、前記アンチエイリアス処理領域の中心要素を中心重み付け値として設定するステップ、前記アンチエイリアス処理領域の前記複数の周辺要素を前記複数の周辺重み付け値として設定するステップを含み、
前記中心重み付け値は、前記周辺重み付け値よりも大きいかまたは以下である、請求項１２から請求項１４のいずれかに記載の画像処理方法。
【請求項１６】
前記アンチエイリアス処理領域が設定される場合であって、前記中心重み付け値と前記周辺重み付け値との和が基準値と等しいことを特徴とする請求項１５に記載の画像処理方法。
【請求項１７】
前記位置及び形状情報に従って前記アンチエイリアス処理領域によって前記調整された表示データをスキャンするステップは、
前記位置及び形状情報に従って前記調整された表示データ内の前記少なくとも１つの円弧形状に対応するスキャン領域を設定するステップと、
アンチエイリアス処理領域によって前記スキャン領域内の複数の画素または複数の副画素を順次スキャンするステップとを含む請求項１２から請求項１６のいずれかに記載の画像処理方法。
【請求項１８】
前記少なくとも１つの第１の重み付け値または前記少なくとも１つの第２の重み付け値を有する前記スキャンされた画素または前記スキャンされた副画素のグレーレベルによって演算を行い演算結果を生成する際、前記演算結果に従って前記スキャンされた画素または前記スキャンされた副画素のグレーレベルを調整するステップは、
前記少なくとも１つの第１の重み付け値の和を計算するステップと、
スキャンされた画素またはスキャンされた副画素のグレーレベルと前記少なくとも１つの第１の重み付け値の和との積を計算して演算結果を生成するステップとを含む請求項１２から請求項１７のいずれかに記載の画像処理方法。
【請求項１９】
前記少なくとも１つの第１の重み付け値または前記少なくとも１つの第２の重み付け値を有する前記スキャンされた画素または前記スキャンされた副画素のグレーレベルによって演算を実行して演算結果を生成する際、前記演算結果に従って前記スキャンされた画素または前記スキャンされた副画素のグレーレベルを調整するステップは、
前記少なくとも１つの第２の重み付け値の和を計算するステップと、
基準値と前記少なくとも１つの第２の重み付け値の和との差を計算するステップと、
前記スキャンされた画素または前記スキャンされた副画素のグレーレベルと前記差との積を計算して演算結果を生成するステップとを含む請求項１２から請求項１７のいずれかに記載の画像処理方法。
【請求項２０】
アンチエイリアス強度値を受信し、前記アンチエイリアス強度値に従って前記アンチエイリアス処理領域の大きさおよび前記重み付け値を設定するステップをさらに含む請求項１２から請求項１９のいずれかに記載の画像処理方法。
【請求項２１】
前記表示パネルは、任意の形態に異形形状に切り取られた表示パネルである請求項１２から請求項２０のいずれかに記載の画像処理方法。
【発明の詳細な説明】
【技術分野】
【０００１】
本発明は、表示装置及びその画像処理方法に関し、特に、円弧形状を有する表示画像を生成するように構成される画像処理方法に関する。
【背景技術】
【０００２】
電子技術の進歩に伴い、電子機器は人々の生活の中で重要なツールとなっている。高品質の画面表示機能を提供することは、今日の電子機器に欠かせない機能でもある。
【０００３】
今日の表示パネルでは、より明るく鮮やかな表示画面を提供するために、電子機器によって提供される表示画面の形状は、もはや単なる矩形ではない。従来の技術では、円弧形状を有する表示画面を生成するために、円弧形状の外側を縁取るように表示画面に陰を付けるための専用のシェーディングステッカーを用いたり、表示パネルを円弧形状に分割して円弧形状を有する表示画面を生成したりすることが多かった。しかしながら、異なる顧客ニーズに対して、これらの従来の手段は、表示パネルまたはシェーディングステッカーのデザインをカスタマイズする必要がある。また、従来の技術が提供する表示画面では、円弧形状の部分に鋸歯状の現象が現れることが多く、表示品位を低下させていた。
【発明の概要】
【発明が解決しようとする課題】
【０００４】
本発明は、表示画面の円弧形状における鋸歯状の現象を効果的に低減することができる表示装置及びその画像処理方法を提供する。
【課題を解決するための手段】
【０００５】
本発明が提供する表示装置は、少なくとも1つの円弧形状を有する表示パネルと、表示パネルに接続されたプロセッサとを含む。
前記プロセッサは、表示パネルの少なくとも１つの円弧形状の位置及び形状情報を受信し、
表示データを受信し、前記位置及び形状情報に従って前記表示データを調整して調整された表示データを生成し、
複数の重み付け値を有するアンチエイリアス処理領域を設定し、
位置及び形状情報に従って、アンチエイリアス処理領域によって調整された表示データをスキャンし、第１のグレーレベルに対応する重み付け値中の少なくとも１つの第１の重み付け値を求め、第２のグレーレベルに対応する重み付け値中の少なくとも１つの第２の重み付け値を求め、前記少なくとも１つの第１の重み付け値または前記少なくとも１つの第２の重み付け値を有するスキャンされた画素またはスキャンされた副画素のグレーレベルによって演算を行い、演算結果を生成し、前記演算結果に従って、スキャンされた画素またはスキャンされた副画素のグレーレベルを調整する、ように構成される。
【０００６】
本発明の画像処理方法は、次のステップを含む。
表示パネルの少なくとも１つの円弧形状の位置及び形状情報を記録するステップ。
表示データを受信し、前記位置及び形状情報に従って前記表示データを調整して前記調整された表示データを生成するステップ。
複数の重み付け値を有するアンチエイリアス処理領域を設定するステップ。
前記位置及び形状情報に従って前記アンチエイリアス処理領域によって前記調整された表示データをスキャンし、第１のグレーレベルに対応する重み付け値中の少なくとも１つの第１の重み付け値を求め、第２のグレーレベルに対応する重み付け値中の少なくとも１つの第２の重み付け値を求め、前記少なくとも１つの第１の重み付け値または前記少なくとも１つの第２の重み付け値を有するスキャンされた画素またはスキャンされた副画素のグレーレベルによって演算を行い、演算結果を生成し、前記演算結果に従って、スキャンされた画素またはスキャンされた副画素のグレーレベルを調整するステップ。
【発明の効果】
【０００７】
上記に基づいて、本発明は、表示画像をスキャンするためのアンチエイリアス処理領域を提供し、このアンチエイリアス処理領域における重み付け値と、スキャンされた画素のグレーレベルまたはスキャンされた副画素のグレーレベルによって演算を行うことにより、表示画像における円弧形状の表示境界上の画素または副画素の鮮明さをぼかし、それによってアンチエイリアス処理効果の発揮と画像の表示品位を向上させる。
【０００８】
本発明の上記の特徴および利点をより理解しやすくするために、図面と共に、いくつかの実施形態を以下のように詳細に説明する。
【図面の簡単な説明】
【０００９】
【図１】図１は、本発明の例示的な一実施形態の画像処理方法のフローチャートを示す。
【００１０】
【図２】図２は、本発明の例示的な一実施形態の円弧形状の形状及び位置の概略図を示す。
【００１１】
【図３】図３は、本発明の例示的な一実施形態の表示データの調整方法を示す概略図を示す。
【００１２】
【図４】図４は、本発明の例示的な一実施形態のアンチエイリアス処理領域をスキャンする概略図を示す。
【００１３】
【図５】図５は、本発明の例示的な一実施形態のアンチエイリアス処理領域をスキャンする別の概略図を示す。
【００１４】
【図６】図６Ａ−図６Ｅは、本発明のアンチエイリアス処理領域の多くのタイプの異なる実施形態の概略図を示す。
【００１５】
【図７】図７は、本発明の例示的な一実施形態のアンチエイリアス処理された表示画像の概略図を示す。
【００１６】
【図８】図８は、本発明の例示的な一実施形態の表示装置の概略図を示す。
【発明を実施するための形態】
【００１７】
図１及び図８を参照する。図１は、本発明の例示的な一実施形態の画像処理方法のフローチャートを示す。図８は、本発明の例示的な一実施形態の表示装置の概略図を示す。表示装置８００は、表示パネル８１０と、プロセッサ８２０と、メモリ８３０とを含む。表示パネル８１０は、１または複数の円弧形状ＡＳＡを有する。プロセッサ８２０は、表示パネル８１０に接続され、図１に示すように複数のステップを実行するように構成されている。メモリ８３０は、円弧形状ＡＳＡの位置及び形状情報を記憶するために、そして読み取りにプロセッサ８２０を提供するために、使用されてもよい。
【００１８】
プロセッサ８２０は、任意のコンピューティング能力を有するマイクロプロセッサであってもよい。あるいは、プロセッサ８２０は、ハードウェア記述言語（ＨＤＬ）または当業者には周知の任意の他のデジタル回路の設計方法によって設計されてもよい。ハードウェア回路は、フィールドプログラマブルゲートアレイ（ＦＰＧＡ）、複合型プログラマブルロジックデバイス（ＣＰＬＤ）、または特定用途向け集積回路（ＡＳＩＣ）によって実現されてもよい。
【００１９】
メモリ８３０は、任意のタイプの揮発性または不揮発性メモリであり、所定の制限はない。
【００２０】
また、表示パネル８１０の任意の位置に円弧形状ＡＳＡが存在してもよいし、表示パネル８１０の左上隅に存在する図示の円弧形状ＡＳＡは、本発明を限定しようとする実例ではない。
【００２１】
図１のフローチャートにおいて、ステップＳ１１０は、表示パネル上の円弧形状の位置及び形状情報を記録する。本発明の例示的な一実施形態では、表示パネル８１０上の円弧形状ＡＳＡの数は１つ以上であり、その数に制限はない。表示パネル８１０上の円弧形状ＡＳＡの位置については、表示パネル上に座標系を定義し、円弧形状ＡＳＡの位置を円弧形状ＡＳＡの座標範囲で定義してもよい。円弧形状ＡＳＡの形状については、対応する表示パネル上の円弧形状ＡＳＡの範囲内に存在する画素または副画素によってビットマップが設定されてもよい。円弧形状ＡＳＡの形状は、円弧形状ＡＳＡの外側のビットを第１論理レベルとして記録し、円弧形状ＡＳＡの内側のビットを第２論理レベルとして記録する方法によって記録するとよい（第１論理レベルと第２論理レベルは互いに補完する。）。表示パネル８１０は複数の画素を有し、各画素は複数の副画素から構成されてもよい。単一の画素に含まれる複数の副画素は、異なる波長の色を表示するために使用されてもよく、例えば、一つの画素は、赤色、緑色および青色の表示効果を生成するためにそれぞれ使用されてもよい３つの副画素を含むことができる。
【００２２】
もちろん、本発明の例示的な一実施形態は、上述した座標系を設ける必要なく、表示パネル８１０上の全画素または全副画素のビットマップを直接的に設定し、ビットマップを介して異なる論理レベルで円弧形状ＡＳＡの位置及び形状情報をそれぞれ記録することもできる。
【００２３】
また、上述したビットマップの記録方法は、本発明の範囲を限定することを意図するものではなく、例示的なものに過ぎない。デジタルデータによる物体の形状及び位置を記録する方法が本発明に適用され得ることは、当業者には周知である。
【００２４】
一方、円弧形状ＡＳＡの位置及び形状情報は、記憶媒体、例えば任意の種類のメモリ８３０に所定の制限なしで記録することができる。
【００２５】
その後、ステップＳ１２０において、表示データを受信し、円弧形状ＡＳＡの位置及び形状情報に従って表示データを調整し、調整された表示データを生成する。詳細に説明すると、本発明の例示的な一実施形態では、円弧形状ＡＳＡの位置及び形状情報に従って円弧形状ＡＳＡの表示境界を知ることができる。その後、表示データにおいては、表示境界の外側に対応する画素のグレーレベルが、例えば、第１の色（例えば、黒色）のグレーレベルである第２のグレーレベルに調整される。そして、表示境界の内側に対応する画素のグレーレベルは、標準色（第１の色ではなく、黒色ではない）の第１のグレーレベルとして維持され、調整された表示データを生成する。
もちろん、本発明の例示的な他の実施形態では、第２のグレーレベルも必ずしも黒色のグレーレベルである必要はなく、他の種類の任意の色のグレーレベルに設定することができ、第２のグレーレベルは、第１のグレーレベルから明確に分離されたカラーグレーレベルに設定することができる。もちろん、例えば、赤色（Ｒ）、緑色（Ｇ）、青色（Ｂ）または他の色である、各画素の副画素もそれぞれ調整することもできる。一例として赤色（Ｒ）の副画素を用いて、表示データにおいて、表示境界の外側に対応する副画素のグレーレベルは、例えば、第１の色（例えば、淡赤色）のグレーレベルである第２のグレーレベルに調整され、表示データでは、表示境界の内側に対応する副画素のグレーレベルは標準色（第１の色ではなく、淡赤色ではない）の第１のグレーレベルとして維持され、調整された表示データを生成する。
図２および図３を同時に参照する。図２は、本発明の例示的な一実施形態の円弧形状の形状及び位置の概略図を示し、図３は、本発明の例示的な一実施形態の表示データの調整方法を示す概略図である。図２に示すように、表示パネル２１０は複数の円弧形状ＡＳ１−ＡＳ６を有し、表示パネル２１０の四隅に円弧形状ＡＳ１−ＡＳ４がそれぞれ配置され、円弧形状ＡＳ５、ＡＳ６は、表示パネル２１０上の溝２１１の縁に配置されてもよい。本発明の例示的な一実施形態では、円弧形状ＡＳ１−ＡＳ４は凸円弧形状であり、円弧形状ＡＳ５、ＡＳ６は凹円弧形状である。本発明の例示的な一実施形態では、表示パネル２１０上の円弧形状の数および形状に所定の制限がなく、表示パネル２１０は任意の種類の異形形状に切り取られた表示パネルであってもよい。
【００２６】
円弧形状ＡＳ１−ＡＳ６の位置及び形状は、その位置及び形状情報から取得することができる。また、図３に示すように、位置及び形状情報に従って、画像データにおいて、円弧形状ＡＳ１−ＡＳ６に対応する画像データの一部を取得してもよい。図３において、画像データ３０１の一部は、例えば円弧形状ＡＳ１に対応する画像データである。円弧ＡＳ１の境界に対応する表示境界３１０は、円弧形状ＡＳ１の位置及び形状情報に従って取得されてもよい。さらに、例えば黒色のグレーレベルである第２のグレーレベルである、ディスプレイ境界３１０の外側３１１の画素のグレーレベルと、本来の標準色のグレーレベル（第１のグレーレベル）に維持されている表示境界３１０の内側３１２の画素のグレーレベルを介して、調整された表示データ（例えば、部分的に調整された表示データ３０２）を取得することができる。もちろん、例えば淡赤色のグレーレベルである第２のグレーレベルである、表示境界３１０の外側３１１の副画素のグレーレベルと、本来の標準色のグレーレベル（第１のグレーレベル）に維持されたディスプレイ境界３１０の内側３１２の副画素のグレーレベルを介して、調整された表示データ（例えば、部分的に調整された表示データ３０２）を取得してもよい。
【００２７】
次に、図１、図４および図５を共に参照する。ここで、図４および図５は、本発明の例示的な一実施形態におけるアンチエイリアス処理領域をスキャンする概略図を示す。ステップＳ１２０に進み、調整された表示データを取得した後、ステップＳ１３０はアンチエイリアス処理領域を設定する。ここで、アンチエイリアス処理領域は複数の要素を有し、各要素は重み付け値を有する。ステップＳ１３０では、アンチエイリアス処理領域の中心要素を中心重み付け値として設定し、中心要素の周辺要素のそれぞれを複数の周辺重み付け値として設定する。中心重み付け値と周辺重み付け値の和は、例えば１に等しい基準値に等しくてもよい。図４に示すように、アンチエイリアス処理領域４２０は９個の要素Ｅ１−Ｅ９を有し、要素Ｅ１−Ｅ８は周辺要素であり、要素Ｅ９は中心要素である。アンチエイリアス処理領域４２０に関して、アンチエイリアス処理領域４２０の重み付け値を表１に示すように設定することができる。
【００２８】
【表１】
2019023861.tif 000003
【００２９】
ここで、要素Ｅ１−Ｅ９の重み付け値は、それぞれ、１／１６，２／１６，１／１６，２／１６，１／１６，２／１６，１／１６，２／１６，４／１６である。
【００３０】
もちろん、表１の重み付け値の値は説明のための例示にすぎず、本発明の範囲を限定しようとするものではない。本発明の例示的な一実施形態では、中心重み付け値は周辺重み付け値よりも大きいが、本発明の他の実施形態では、中心重み付け値も周辺重み付け値以下であってもよい。各中心重み付け値および周辺重み付け値の値は、実際の状況および生成されるアンチエイリアス処理効果の強度に従って、所定の制限なしに適度に調整されてもよい。
【００３１】
ステップＳ１４０において、アンチエイリアス処理領域４２０は、位置及び形状情報に従って調整された表示データ４１０をスキャンする。
ここで、スキャン動作によって、所定の順序及び方向に従って、アンチエイリアス処理領域４２０の中心要素Ｅ９が、調整された表示データ４１０内の各スキャンされた画素又は副画素に合わせられ、
第１のグレーレベルとしての画素又は副画素のグレーレベルに対応する、アンチエイリアス処理領域４２０内の１つ又は複数の要素を求め、上述した１つ又は複数の要素の第１の重み付け値を求め、
第２のグレーレベルとしての画素又は副画素のグレーレベルに対応する、アンチエイリアス処理領域４２０内の１つ又は複数の要素を求め、上述した要素の１つ又は複数の第２の重み付け値を求め、
そして再び、第１の重み付け値または第２の重み付け値に対して第１の演算を行い、スキャンされた画素または副画素のグレーレベルと第１の演算結果に対して第２の演算を行い、第２の演算結果を取得し、第２の演算結果によってスキャンされた画素または副画素のグレーレベルを調整し、アンチエイリアス処理表示効果を達成する。
【００３２】
図５に示すように、アンチエイリアス処理領域４２０の要素Ｅ１、Ｅ２、Ｅ７、Ｅ８は、第２のグレーレベルの画素または副画素に対応する。要素Ｅ１、Ｅ２、Ｅ７、Ｅ８の第２の重み付け値は、それぞれ、１／１６，２／１６，１／１６，２／１６であることがわかる。さらに、アンチエイリアス処理領域４２０の要素Ｅ３−Ｅ６、Ｅ９は、第１のグレーレベルの画素または副画素に対応する。要素Ｅ３−Ｅ６、Ｅ９の第１の重み付け値は、それぞれ、１／１６，２／１６，１／１６，２／１６，４／１６であることがわかる。
【００３３】
本発明の例示的な一実施形態では、第１の重み付け値の和は、１／１６＋２／１６＋１／１６＋２／１６＋４／１６＝１０／１６に等しい第１の演算結果を取得するように計算されてもよい。その後、スキャンされた画素または副画素のグレーレベル（例えば、２５５に等しい）に第１の演算結果（＝１０／１６）を乗算することによって、調整されたグレーレベル＝２５５×１０／１６＝１５９を取得することができる。
【００３４】
本発明の例示的な別の実施形態では、１／１６＋２／１６＋１／１６＋２／１６＝６／１６に等しい第２の重み付け値の和も計算されてもよく、基準値（＝１）から６／１６を引いた第１の演算結果（＝１−６／１６＝１０／１６）が取得される。その後、スキャンされた画素または副画素のグレーレベル（例えば、２５５に等しい）に第１の演算結果（＝１０／１６）を掛けることによって、調整されたグレーレベル＝２５５×１０／１６＝１５９を得ることができる。
【００３５】
以上のことから、スキャンされた画素または副画素のグレーレベルを上記計算に従って２５５から１５９に調整することにより、アンチエイリアス処理効果が発生すると推測できる。
【００３６】
上記スキャン動作は、調整された表示データ全体に対して行われてもよいし、調整された表示データの円弧形状に対応する範囲に対してスキャン領域を設定し、設定されたスキャン領域のみで行われてもよい。
【００３７】
上記アンチエイリアス処理領域の矩形は３×３であるが、これは一例に過ぎない。ここで、図６Ａ−図６Ｅを参照すると、図６Ａ−図６Ｅは、本発明のアンチエイリアス処理領域の多くのタイプの異なる実施形態をそれぞれ示す概略図であって、アンチエイリアス処理領域の形状は任意のポリゴンであってもよく、その大きさも限定されていない。本発明の例示的な一実施形態では、アンチエイリアス処理領域の大きさおよび形状、および要素によって設定されるその重み付け値は、アンチエイリアス強度値に従って設定されてもよい。アンチエイリアス強度値は、エンジニアによって設定されてもよく、また、任意の入力インターフェースを介してユーザによって入力されてもよい。
【００３８】
図７を参照すると、図７は、本発明の例示的な一実施形態のアンチエイリアス処理された表示画像の概略図である。アンチエイリアス処理された表示画像７００の円弧形状のエッジＥＧ上では、その鋸歯状の現象が明確に解消され、効果的にその表示品質が向上する。
【００３９】
上記に基づいて、本発明は、円弧形状に対応する画像データの領域をスキャンするために、アンチエイリアス処理領域を提供する。アンチエイリアス処理領域に設定された重み付け値によって、スキャンされた画素または副画素のグレーレベルが調整され、これにより、表示画像の円弧形状の一部に対して効果的にアンチエイリアス効果を発揮し、そのディスプレイの品質を最適化することができる。
【００４０】
本開示の範囲または精神から逸脱しなければ、開示された実施形態に対して様々な変更および変形が可能であることは、当業者には明らかであろう。このことを考慮して、本開示は、添付の特許請求の範囲およびその均等の範囲内であれば、変更および変形を包含することが意図されている。
【産業上の利用可能性】
【００４１】
本発明は、少なくとも１つの円弧形状を有する表示パネルの画像処理方法を提供する。表示パネルの少なくとも１つの円弧形状に従って画像データを調整することができ、表示パネル上の表示画像の品質を最適化することができる。
【符号の説明】
【００４２】
Ｓ１１０−Ｓ１４０：ステップ
２１０：表示パネル
２１１：溝
３０１：画像データ
３１０：表示境界
３１１：外側
３１２：内側
４１０：調整された表示データ
４２０：アンチエイリアス処理領域
７００：表示画像
８００：表示装置
８１０：表示パネル
８２０：プロセッサ
８３０：メモリ
ＡＳ１−ＡＳ６、ＡＳＡ：円弧形状
Ｅ１−Ｅ９：要素
ＥＧ：エッジ
【図１】
2019023861.tif 000004
【図２】
2019023861.tif 000005
【図３】
2019023861.tif 000006
【図４】
2019023861.tif 000007
【図５】
2019023861.tif 000008
【図６】
2019023861.tif 000009
【図７】
2019023861.tif 000010
【図８】
2019023861.tif 000011
【外国語明細書】
2019023861000001.pdf